(57)【特許請求の範囲】
【請求項１】
ビードワイヤーが環状に巻き重ねられて構成されるビードコアを製造するためのビードコアの製造装置であって、
前記ビードコアを移動させながら前記ビードコアの外周に留め糸を螺旋状に巻き付けることにより、前記ビードワイヤーの端部を前記ビードコアに留めるための糸巻き手段と、
前記ビードコアに巻き付けられた前記留め糸を、前記ビードコアに押さえ付けるための糸押さえ機構と
を備えており、
前記糸押さえ機構は、ブラシ状部材を備えており、
前記ブラシ状部材のブラシ毛の毛先により、前記留め糸を前記ビードコアに押さえ付けるように構成されている
ことを特徴とするビードコアの製造装置。
【発明の詳細な説明】
【技術分野】
【０００１】
本発明は、不良品の発生を抑制することができるビードコアの製造装置に関するものである。
【背景技術】
【０００２】
ビードコアの製造装置は、ビードワイヤーを環状に巻き重ねることによりビードコアを製造する装置である（例えば、特許文献１）。
【０００３】
図４は、従来のビードコアの製造装置を模式的に示す斜視図である。図５は、不良品のビードコアを模式的に示す斜視図である。
【０００４】
図４に示すように、ビードコアの製造装置１０には、糸巻き手段４０が備わっている。この糸巻き手段４０は、ビードコア２のうちビードワイヤーの巻き始めの端部および巻き終わりの端部が位置する部位の外周に留め糸３を螺旋状に巻き付けることにより、ビードワイヤーの端部がビードコア２から剥がれるのを防ぐために用いられる。
【先行技術文献】
【特許文献】
【０００５】
【特許文献１】特開２０１１−３７０５９号公報
【発明の概要】
【発明が解決しようとする課題】
【０００６】
しかし、図５に示すように、従来のビードコアの製造装置により製造されるビードコア２は、留め糸３の端部３ａがほつれることにより、不良品が発生し易くなるという問題があった。
【０００７】
そこで、本発明は、上記従来技術の問題に鑑み、ビードコアに巻き付けられる留め糸のほつれを防止することにより、ビードコアの不良品の発生を抑制することができるビードコアの製造装置を提供することを課題とする。
【課題を解決するための手段】
【０００８】
請求項１に記載の発明は、
ビードワイヤーが環状に巻き重ねられて構成されるビードコアを製造するためのビードコアの製造装置であって、
前記ビードコアを移動させながら前記ビードコアの外周に留め糸を螺旋状に巻き付けることにより、前記ビードワイヤーの端部を前記ビードコアに留めるための糸巻き手段と、
前記ビードコアに巻き付けられた前記留め糸を、前記ビードコアに押さえ付けるための糸押さえ機構と
を備えており、
前記糸押さえ機構は、ブラシ状部材を備えており、
前記ブラシ状部材のブラシ毛の毛先により、前記留め糸を前記ビードコアに押さえ付けるように構成されている
ことを特徴とするビードコアの製造装置である。
【発明の効果】
【００１０】
本発明によれば、ビードコアに巻き付けられる留め糸のほつれを防止することにより、ビードコアの不良品の発生を抑制することができるビードコアの製造装置を提供することができる。
【図面の簡単な説明】
【００１１】
【図１】本発明の一実施の形態に係るビードコアの製造装置を模式的に示す斜視図である。
【図２】本発明の一実施の形態に係るビードコアの製造装置の糸押さえ機構を模式的に示す斜視図である。
【図３】合格品のビードコアを模式的に示す斜視図である。
【図４】従来のビードコアの製造装置を模式的に示す斜視図である。
【図５】不良品のビードコアを模式的に示す斜視図である。
【発明を実施するための形態】
【００１２】
以下、図面を参照しつつ本発明に係るビードコアの製造装置の一実施形態について説明する。
【００１３】
１．ビードコアの製造装置の構成
図１は、本実施の形態に係るビードコアの製造装置を模式的に示す斜視図である。図２は、本実施の形態に係るビードコアの製造装置の糸押さえ機構を模式的に示す斜視図である。図３は、合格品のビードコアを模式的に示す斜視図である。
【００１４】
図１に示すように、ビードコアの製造装置１は、ビードコア２の外周に留め糸３を巻き付けるための糸巻き手段４と、糸押さえ機構７とを備えている。
【００１５】
糸巻き手段４は、切欠き部５を有する糸巻き用円盤６と図外の糸供給手段とを備えている。糸巻き用円盤６は、ビードコア２に留め糸３を巻き付けるための糸巻き部に配置されており、前記糸巻き部には前記糸供給手段によって留め糸３が供給される。なお、留め糸３の材質は、ナイロン６である。
【００１６】
本実施の形態においては、糸押さえ機構７は、ブラシ状部材５０により形成されている。ブラシ状部材５０は、横Ｕ字状の枠体５１の内周側に枠体５１に沿ってブラシ毛５２を植設することにより形成されている。
【００１７】
図２に示すように、枠体５１のブラシ毛５２は、枠体５１の上側フレーム５１ａに植設された上側ブラシ毛５２ａと、枠体５１の下側フレーム５１ｂに植設された下側ブラシ毛５２ｂと、円弧側フレーム５１ｃに植設された円弧側ブラシ毛５２ｃとから構成されている。
【００１８】
上側ブラシ毛５２ａ、下側ブラシ毛５２ｂおよび円弧側ブラシ毛５２ｃは密集した状態で植設され、また、上側ブラシ毛５２ａ、下側ブラシ毛５２ｂおよび円弧側ブラシ毛５２ｃの毛先は、全体として扇状に広がっている。また、上側ブラシ毛５２ａおよび円弧側ブラシ毛５２ｂの毛先同士は接触しており、円弧側ブラシ毛５２ｃの毛先は円弧側フレーム５１ｃの円弧中心部に集められるように植設されている。
【００１９】
このように構成されるブラシ状部材５０は、巻き用円盤６に取り付けられて糸巻き用円盤６と共に回転するようになっている。
【００２０】
また、ビードコアの製造装置１は、ビードコア２を回転させるための回転機構を備えており、この回転機構にはガイドローラー４１が備わっている。
【００２１】
２．ビードコアの製造装置の動作説明
次に、ビードコアの製造装置の動作について説明する。
【００２２】
ビードコア２はビードワイヤーが環状に巻き重ねられることにより形成され、このビードコア２の外周面には、留め糸３が巻き付けられる。具体的には、ビードコアの製造装置１が次のような動作を行うことにより留め糸３が巻き付けられる。
【００２３】
図１に示すように、ビードコア２を、糸巻き用円盤６の切欠き部５およびブラシ状部材５０に挿通させた状態で、前記回転機構にセットする。そして、この状態において、図１の矢印ｂに示す方向にビードコア２を回転させると共に、図１の矢印ａに示す方向に糸巻き用円盤６を回転させることにより、ビードコア２の外周に留め糸３が螺旋状に巻き付けられる。これにより、ビードワイヤーの巻き始めの端部および巻き終わりの端部がビードコア２に留められる。
【００２４】
留め糸３が巻き付けられたビードコア２は、ブラシ状部材５０のブラシ毛５２ａ、ブラシ毛５２ｂおよびブラシ毛５２ｃの毛先を掻き分けながら、ブラシ状部材５０を通過する。このとき、上側ブラシ毛５２ａ、下側ブラシ毛５２ｂおよび円弧側ブラシ毛５２ｃの毛先の弾性復元力により、留め糸３はビードコア２の外周面に押さえ付けられる。これにより、均一に留め糸３が押え付けられるため、留め糸３のほつれが発生しなくなり、図３に示すように、合格品のビードコア２を製造することができる。なお、巻き付けが終わった留め糸３の末端部分は、図外の切断手段により切断される。
【００２５】
３．本実施の形態の効果
（１）本実施の形態によれば、上記のように留め糸３のほつれの発生を抑制することができるため、ビードコアの不良品の発生を抑えることができる。
【００２６】
（２）また、ブラシ状部材５０という簡易な手段により、ビードコアの不良品の発生を抑えることができるため、設備投資を低減化でき、メンテナンスが容易になる。
【００２７】
（３）さらに、留め糸のほつれの点検が不要になるため、作業負担が軽減する。
【実施例】
【００２８】
１．実施例および比較例
本実施例は、上記の実施の形態のビードコアの製造装置を用いて、ブラシ状部材のブラシ毛の径を変えてビードコアを作製した例であり、実施例１〜４のブラシ状部材のブラシ毛の径は、表１に示す通りである。
【００２９】
本実施例において用いたブラシ状部材のブラシ毛はナイロン製であり、枠体はアルミニウム製である。なお、枠体の縦寸法は３９．０ｍｍであり、横寸法は４０．０ｍｍであり、厚み寸法は３．０ｍｍである。
【００３０】
比較例は、上記の従来のビードコアの製造装置を用いて、ビードコアを作製した例である。
【００３１】
２．実施例および比較例における測定条件および評価
留め糸をビードコアに巻き付けたときのビードコアの回転については、主軸回転数を１００ｒｐｍ、主軸移動速度を１２ｍｍ／ｓｅｃに設定し、留め糸のほつれの有無、およびブラシ状部材を設けたことに伴うビードコアのセット時のセット不良（不具合）の有無についてチェックした。
【００３２】
チェック結果を表１に示す。
【００３３】
【表１】
0005705004.tif 000002
【００３４】
表１より、実施例１〜４は、留め糸のほつれがまったく発生しなかったのに対して、比較例は、留め糸のほつれが発生した。なお、留め糸のほつれが発生した個数は、一日当たり約１８０個であり、発生率は０．３５％であった。
【００３５】
表１より、実施例１の場合は、セット時の不具合は発生しなかったが、実施例２〜４の場合は、不具合が発生した。これにより、ブラシ状部材のブラシ毛の径は、細い方がセットが容易であることが確認できた。
【００３６】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００３７】
１、１０            ビードコアの製造装置
２                  ビードコア
３                  留め糸
３ａ                留め糸の端部
４、４０            糸巻き手段
５                  切欠き部
６                  糸巻き用円盤
７                  糸押さえ機構
４１                ガイドローラー
５０                ブラシ状部材
５１                枠体
５１ａ              上側フレーム
５１ｂ              下側フレーム
５１ｃ              円弧側フレーム
５２                ブラシ毛
５２ａ              上側ブラシ毛
５２ｂ              下側ブラシ毛
５２ｃ              円弧側ブラシ毛
【図１】
0005705004.tif 000003
【図２】
0005705004.tif 000004
【図３】
0005705004.tif 000005
【図４】
0005705004.tif 000006
【図５】
0005705004.tif 000007